(57)【要約】【課題】冷却運転の状態等による冷蔵室ファンの運転停止によらず、脱臭運転が可能な冷蔵庫を提供する。【解決手段】冷蔵庫本体１の前面に配置され、食品などを貯蔵する冷蔵室１０２と、冷蔵庫１の後方に配置された冷却室１２０に設けられ、冷蔵室１０２を冷却する冷気を生成する冷却器１２１と、冷蔵室１０２への冷気の流路である送風路１４０と、送風路１４０内に設けられ、冷却器１２０により生成された冷気を冷蔵室１０２内に送風するための冷蔵室ファン１３０と、送風路１１０、１４０外に設けられた脱臭装置１５０と、脱臭装置１５０に具備された脱臭用ファン１５３と、脱臭装置１５０の送風出口１５１ａと送風路１１０を連結する脱臭風路１６０とからなり、脱臭装置１５０に、冷蔵室１０２に対して脱臭後の空気を直接吹出す吹出口１５２ａ、１５２ｂを形成する。【選択図】図１
2005201528.tif 000002
【特許請求の範囲】
【請求項１】
冷蔵庫本体の前面に配置され、食品などを貯蔵する冷蔵室と、前記冷蔵庫の後方に配置された冷却室に設けられ、前記冷蔵室を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられた脱臭装置と、前記脱臭装置に具備された脱臭用ファンと、前記脱臭装置の送風出口と前記送風路を連結する脱臭風路とからなり、前記脱臭装置に前記冷蔵室に対して脱臭後の空気を直接吹出す吹出口を形成したことを特徴とする冷蔵庫。
【請求項２】
前記脱臭風路が、前記送風路における前記冷蔵室ファンの吸込み側に連結されていることを特徴とする請求項１に記載の冷蔵庫。
【請求項３】
前記脱臭用ファンの送風能力が、前記冷蔵室ファンの送風能力よりも小さいことを特徴とする請求項１または請求項２に記載の冷蔵庫。
【請求項４】
冷蔵庫本体の前面に配置され、食品などを貯蔵する冷蔵室と、前記冷蔵庫の後方に配置された冷却室に設けられ、前記冷蔵室を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられ、前記冷蔵室に対して脱臭後の空気を直接吹出す吹出口を形成し、かつオゾン発生手段を備えた脱臭装置と、前記脱臭装置に具備された脱臭用ファンと、前記脱臭装置の送風出口と前記送風路を連結する脱臭風路とからなり、前記脱臭風路と前記送風路の連結部が前記冷却室の風上に位置することを特徴とする冷蔵庫。
【発明の詳細な説明】
【技術分野】
【０００１】
本発明は、脱臭装置を装備した冷蔵庫に関するものである。
【背景技術】
【０００２】
近年、冷蔵庫においては、庫内の食品に起因する各種の臭気の低減や他の食品への臭い移りを防止するために、各種手法による脱臭が行われている。中でも、脱臭触媒フィルタによる吸着、分解作用による脱臭と共に、オゾン発生手段によってオゾンを発生させその強力な酸化力を利用して、庫内の脱臭及び除菌を行う技術がさかんであり、これらの脱臭部材を冷却風路内に組み込んで、庫内全体を脱臭する方式が広く普及しており、さらに脱臭性能の向上のために脱臭運転の運転率を向上させるための施策を設けた冷蔵庫も普及してきている。
【０００３】
従来の運転率を向上させた脱臭装置を備えた冷蔵庫としては、（例えば、特許文献１参照）がある。
【０００４】
以下、図面を参照しながら上記従来の冷蔵庫について説明する。
【０００５】
図６は従来技術の冷蔵庫の側断面図を示す。図７は従来技術の冷蔵庫の風路の一部を示す要部正面図である。１は冷蔵庫本体、２は断熱材で充填された断熱箱体である。７は冷蔵庫本体１の上部に設けられた冷蔵室、８は冷蔵室７の下に設けられ、野菜から冷凍食品までの広範囲の温度帯に切替可能な切替室、９は切替室８の下に設けられ、野菜などを保存する野菜室、１０は野菜室９の下に設けられ、冷凍食品などを保存する冷凍室である。
【０００６】
３は冷蔵室７の前面に設けられた開閉式の冷蔵室用扉、４は切替室８の前面に設けられた引出式の切替室用扉、５は野菜室９の前面に設けられた引出式の野菜室用扉、６は冷凍室１０の前面に設けられた引出式の冷凍室用扉である。また、１１は、冷蔵庫本体１の後方下側に設けられた機械室１１ａに設置された圧縮機、１３は冷蔵庫本体１の後方に設けられた冷却器室に配置された冷却器、１２は冷却器１３に着霜した霜を溶かすための除霜用ヒータである。
【０００７】
１４は冷却器１３によって冷却された冷気を強制的に冷蔵庫本体１内の冷蔵室７や冷凍室１０などの各室に送風するための冷蔵室ファンである。１９Ａは冷蔵室７への冷気の送風路である冷蔵室用送風路、２０Ａは冷凍室１０への冷気の送風路である冷凍室用送風路である。１５Ａは冷蔵室用送風路１９Ａ内に設けられ、冷蔵室７へ供給される冷気の量を調整する冷蔵室用ダンパ、１５Ｂは切替室用送風路内に設けられ、切替室８へ供給される冷気の量を調整する切替室用ダンパ、１５Ｃは冷凍室用風路２０Ａ内に設けられ、冷凍室１０へ供給される冷気の量を調整する冷凍室用ダンパである。
【０００８】
１６は冷蔵室用送風路１９Ａより冷蔵室７内に冷気を供給するための冷蔵室用吹出し口、１７は切替室用送風路より切替室８内に冷気を供給するための切替室用吹出し口、１８は冷凍室用送風路２０Ａより冷凍室１０内に冷気を供給するための冷凍室用吹出し口である。２１は冷蔵庫本体１内の各室へ導かれる冷気の通り道である主風路内に設けられたバイパス流路であり、バイパス流路２１内には脱臭装置２２が設けられている。
【０００９】
各ダンパ（１５ａ、１５ｂ、１５ｃ）を閉じることによって冷気はバイパス流路２１を通って冷却器１３に戻るショートサイクルが発生する。このショートサイクルは冷却器１３を上流として循環する冷気が冷蔵庫本体１内のいずれの室も供給されずに冷却器１３に戻る風路のことである。
【００１０】
７、実施の形態１を表す冷蔵庫の風路の一部を示す要部正面図である。図７においては、各室へ冷気を供給するための送風路のみを示しており、各室からの冷気の戻り風路については記載していない。図７において、図６と同等部分は同一の符号を付して説明を省略する。図７において、１９Ａは冷蔵室用送風路、２０Ａは冷凍室用送風路、２５は切替室８に冷気を供給するための切替室用送風路である。２６は冷凍室１０内あるいは独立して設けられた製氷室（図示せず）内に冷気を供給するための製氷室用送風路である。
【００１１】
１５ｅは製氷室への冷気の供給量を調整するために製氷室用送風路２６内に設けられた製氷室用ダンパである。バイパス流路２１内には脱臭装置２２が設けられており、送風路に設けられたダンパが全て閉じている時は、冷気は空気抵抗のほとんどない送風路の方に供給されず、空気抵抗が大きなバイパス流路２１に冷気がほとんど供給されるので、ショートサイクルが発生し、ダンパによって閉じられた冷却室を含む閉空間内の冷気が全て冷蔵室ファン１４によって強制的に脱臭装置２２を通過するようになり、脱臭効果が得られ、ダンパを開放してもいやな臭いが各室へ供給されることがなくなる。
【００１２】
また、１５ａと１５ｂと１５ｃと１５ｅの少なくとも１つのダンパが開いているときは、冷気は空気抵抗のほとんどない送風路の方に供給されるので、空気抵抗が大きなバイパス流路２１には冷気はほとんど供給されず、ショートサイクルは発生せず、脱臭装置２２による脱臭効果はほとんど得られないが、冷却運転中の風路抵抗となることもないので、冷却能力の不足が発生しない。
【特許文献１】特開２００３−４２６４６号公報
【発明の開示】
【発明が解決しようとする課題】
【００１３】
しかしながら、上記従来の冷蔵庫の構成は、脱臭装置と冷却器に送風する送風手段として冷蔵室ファンを共有しているために、除霜運転中やドア開放時には脱臭運転を行えなえず、脱臭性能に限界があるという欠点があった。
【００１４】
本発明の目的は、冷蔵庫の冷却運転の状態やその他要因による冷蔵室ファンの運転、停止によらず脱臭運転が可能で、大幅に脱臭性能を向上させた冷蔵庫を提供することである。
【課題を解決するための手段】
【００１５】
上記課題を解決するため、本発明の冷蔵庫は、冷蔵庫本体の前面に配置され、食品などを貯蔵する冷蔵室と、前記冷蔵庫の後方に配置された冷却室に設けられ、前記冷蔵室内を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられた脱臭装置と、前記脱臭装置に具備された脱臭用ファンと、前記脱臭装置の送風出口と前記送風路を連結する脱臭風路とからなり、前記脱臭装置に前記冷蔵室に対して脱臭後の空気を直接吹出す吹出口を形成したものであり、前期脱臭装置により脱臭された空気が、直接前記冷蔵室内に吹出されると同時に、前記脱臭風路を介して前記送風路内にも送風される。
【００１６】
また、冷蔵庫本体の前面に配置され、食品などを貯蔵する冷蔵室と、前記冷蔵庫の後方に配置された冷却室に設けられ、前記冷蔵室内を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられ、前記冷蔵室に対して脱臭後の空気を直接吹出す吹出口を形成し、かつオゾン発生手段を備えた脱臭装置と、前記脱臭装置に具備された脱臭用ファンと、前記脱臭装置の送風出口と前記送風路を連結する脱臭風路とからなり、前記脱臭風路と前記送風路の連結部が前記冷却室の風上に位置するようにしたものであり、前記脱臭装置で生じたオゾンが前記冷却器に送風される。
【発明の効果】
【００１７】
本発明の冷蔵庫によれば、冷気の送風路外に配置され、専用のファンを搭載した脱臭装置と、脱臭装置の送風出口と送風路を連結する脱臭風路とから構成され、脱臭後の空気を庫内に直接吹出す吹出し口を形成したので、冷蔵室ファンが運転している状態において、冷却風路内と冷蔵室内に対して同時に脱臭後の空気を送風することができ、脱臭性能を向上させることができる。
また、冷気の送風路外に配置され、脱臭後の空気を庫内に直接吹出す吹出し口を形成した脱臭装置と、脱臭装置に具備された脱臭用ファンと、脱臭装置に具備されたオゾン発生手段と、脱臭装置の送風出口と送風路を連結する脱臭風路とから構成され、
脱臭風路１６０と送風路１１０の連結部が冷却室１２０の風上に位置するので、紫外線ランプ１５５で生じたオゾンの効果で冷却器を脱臭することができる。
【発明を実施するための最良の形態】
【００１８】
請求項１に記載の冷蔵庫の発明は、冷蔵庫本体の前面に配置され、食品などを貯蔵する冷蔵室と、前記冷蔵庫の後方に配置された冷却室に設けられ、前記冷蔵室内を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられた脱臭装置と、前記脱臭装置に具備された脱臭用ファンと、前記脱臭装置の送風出口と前記送風路を連結する脱臭風路とからなり、前記脱臭装置に前記冷蔵室に対して脱臭後の空気を直接吹出す吹出口を形成したものであり、前期脱臭装置により脱臭された空気が、直接前記冷蔵室内に吹出されると同時に、前記脱臭風路を介して前記送風路内にも送風される。
【００１９】
本発明の請求項２に記載の発明は、請求項１の発明において、脱臭風路が、送風路における冷蔵室ファンの吸込み側に連結されたものであり、冷蔵室ファンの運転時には、前記冷蔵室ファンと脱臭装置に具備された脱臭用ファンが直列の回路を形成する。
【００２０】
本発明の請求項３に記載の発明は、請求項１または請求項２の発明において、脱臭用ファンの送風能力を、前記冷蔵室ファンの送風能力よりも小さくしたものであり、冷蔵室ファンの停止時には、脱臭風路の送風抵抗に加え、送風路の送風抵抗が脱臭用ファンのみにかかることから、脱臭風路と送風路に流れる風量を略０にする。
【００２１】
本発明の請求項４に記載の発明は、冷蔵庫本体の前面に配置され、食品などを貯蔵する冷蔵室と、前記冷蔵庫の後方に配置された冷却室に設けられ、前記冷蔵室内を冷却する冷気を生成する冷却器と、前記冷蔵室への冷気の流路である送風路と、前記送風路内に設けられ、前記冷却器により生成された冷気を前記冷蔵室内に送風するための冷蔵室ファンと、前記送風路外に設けられ、前記冷蔵室に対して脱臭後の空気を直接吹出す吹出口を形成し、かつオゾン発生手段を備えた脱臭装置と、前記脱臭装置に具備された脱臭用ファンと、前記脱臭装置の送風出口と前記送風路を連結する脱臭風路とからなり、前記脱臭風路と前記送風路の連結部が前記冷却室の風上に位置するようにしたものであり、前記脱臭装置で生じたオゾンが前記冷却器に送風される。
【００２２】
以下、本発明の実施の形態について、図面を参照しながら説明する。なお、従来と同一構成については、同一符号を付して詳細な説明を省略する。また、この実施の形態によってこの発明が限定されるものではない。
【００２３】
（実施の形態１）
図１は、本発明の実施の形態１による冷蔵庫における冷蔵室の正面図である。
図２は、本発明の実施の形態１による冷蔵庫における冷蔵室の断面図（Ａ−Ａ）である。図３は、本発明の実施の形態１による冷蔵庫における冷蔵室の断面図（Ｂ−Ｂ）である。図４は、本発明の実施の形態１による脱臭装置の正面図である。
図５は、本発明の実施の形態１による脱臭装置の側面断面図である。
【００２４】
図１、図２、図３に示すように、冷蔵庫本体1の上部に位置する冷蔵室１０２は、断熱壁１０３と背面に形成された背面カバー１０４により構成されており、複数の棚１０５により複数の区画１０６に仕切られている。
【００２５】
送風路１１０は、背面カバー１０４内に形成された吸込み風路であり、複数の区画１０６に対して複数の吸込み口１１１でそれぞれ繋がっており、冷却室１２０の下部のチャンバー１１２で複数の区画１０６からの空気が集合するように構成されている。冷却室１２０は、クロスフィンコイルである冷却器１２１を内臓しており、冷却器１２１の前面と、背面カバ−１０４および脱臭装置１５０の間には断熱部材１２２が配置されている。冷却器１２１は管内を冷媒が流れ、管外を空気が流れて下部より流入する冷蔵室１０２からの空気を冷却する。
【００２６】
軸流式である冷蔵室ファン１３０は冷却室１２０の上方に配置されており、冷却室１２０の空気を吸込み、送風路１４０に送風するように取り付けられている。
【００２７】
送風路１４０は、複数の吹出し口１４１を解して冷蔵室１０２に冷風を吹出すための吹出し風路である。
【００２８】
脱臭装置１５０は、背面カバー１０４に取り付けられており、送風路１１０および１４０から独立した空間に配置されている。
【００２９】
図４、図５において、脱臭装置１５０は、冷蔵室１０２の背面方向に設置されたベース部材１５１と、冷蔵室１０２に露出するカバー１５２と、脱臭用ファン１５３と、吸着脱臭フィルタ１５４ａ、１５４ｂと、紫外線ランプ１５５とから構成されている。
【００３０】
ベース部材１５１は、材料として成形性にとみ、紫外線ランプ１５５により発生するオゾンに対して耐久性のあるポリプロピレンを使用することが好ましく、設置状態における上部近傍に送風出口１５１ａが形成されている。
【００３１】
カバー１５２は、材料として成形性にとみ、紫外線ランプ１５５により発生するオゾンに対して耐久性があり、かつ透明性のあるＡＢＳやガラスを使用することが好ましく、設置状態における上部近傍には吹出し口１５２ａ、１５２ｂが形成されており、設置状態における下部近傍には吸込み口１５２ｃが形成されている。
【００３２】
脱臭用ファン１５３は、軸流式ファンであり、冷蔵室ファン１３０に比べて送風能力が小さくなるように設定してある。ここで、脱臭ファン１５３は、開口部１５２ａ、１５３ａ方向に空気を吹出すように設置されており、脱臭装置１５０に対して、傾斜するように取り付けられている。ここで、脱臭用ファン１５３は、少なくとも冷蔵庫のドア開放時には運転状態となるように制御されている。
【００３３】
吸着脱臭フィルタ１５４ａ、１５４ｂは、冷気の流通に対して脱臭用ファン１５３の上流に配置されている。材料としては、ハニカム形状のセラミック製基材に活性炭やゼオライト等の物理吸着剤あるいは酸化マンガン、酸化銅等の複合無機酸化物から成る化学吸着剤の触媒材料を担持したフィルタであり、脱臭用ファンに対して、略平行でかつ並列配置されている。フィルタの基材としては、生産工程上焼成を伴う無機酸化物の化学吸着剤を用いる場合は、シリカやアルミナから成るセラミック基材が良い。
【００３４】
また、物理吸着剤あるいは化学吸着材以外の触媒材料として酵素等から成る有機物を用いても良く、この場合はフィルタの基材として、不織布、合成紙、ポリプロピレン等のプラスチック系基材を用いることができる。
【００３５】
ここで、脱臭用ファン１５３と吸着脱臭フィルタ１５４ａ、１５４ｂは、固定部材１５６によりベース部材１５１に取り付けられており、固定部材１５６は、脱臭用ファン１５３の断面周辺と、吸着脱臭フィルタ１５４ａ、１５４ｂの断面周辺を封止する形状となっている。固定部材１５６の材料としては、成形性にとみ、紫外線ランプ１５５により発生するオゾンに対して耐久性のあるポリプロピレンを使用することが好ましい。
【００３６】
紫外線ランプ１５５は、冷気の流通に対して吸着脱臭フィルタ１５４ａ、１５４ｂの上流に配置されている。紫外線ランプ１５５のランプ管は純度の高い石英ガラスを材料としており、ランプ管内には低圧の水銀蒸気とアルゴン、キセノン等の不活性ガスが封入されている。ランプ管内には電極を有しておらず、ランプ管外の両端にインバータ回路（図示せず）を通じて高周波高電圧が印加されるようになっている。
【００３７】
ここで、紫外線ランプ１５５が点灯すると、紫外線ランプ１５５のランプ管は純度の高い石英ガラスを材料としているので、ランプ管内の水銀蒸気下での放電により発生した低波長の紫外線が遮蔽されずにガラス管壁を透過するという作用があり、波長１８５ｎｍの紫外光と波長２５４ｎｍの紫外光がランプ管外へ照射され、波長１８５ｎｍの紫外線のエネルギーによって空気中の酸素分子は酸素のラジカル状態となり、この酸素ラジカルと酸素が反応してオゾンが生成する。
【００３８】
ここで、紫外線ランプ１５５は、冷蔵庫のドア開放時に点灯するように制御されている。
【００３９】
脱臭風路１６０は、断熱部材１２２に形成された風路であり、一端はベース部材１５１の上部近傍に形成された送風出口１５１ａと連結されており、他端は、冷却室１２０の下部のチャンバー１１２に連結されている。
【００４０】
以上のように構成された脱臭装置を備えた冷蔵庫について、以下その動作を説明する。
【００４１】
まず、冷蔵室ファン１３０が運転中の脱臭運転の場合、実際の冷蔵庫においては冷却運転時や除霜運転初期がこれにあたり、冷蔵室１０２内の空気は、複数の吸込み口１１１から送風路１１０内を経由して、冷却室１２０の下部のチャンバー１１２で集合する。この集合した空気は、冷却器１２１を通過して際に冷却され、冷蔵室ファン３０により送風路１４０に送風されて、複数の吹出し口１４１より冷蔵室１０２内に吹出される。
【００４２】
ここで、送風路１１０および１４０から独立した空間に配置されている脱臭装置１５０においては、カバー１５２の下部近傍に形成された吸込み口１５２ｃより冷蔵室１０２内の空気が脱臭装置１５０内に吸込まれる。この吸込まれた空気に含まれる臭い成分は、紫外線ランプ１５５により生じたオゾンの効果と短波長の紫外線の効果で脱臭および除菌がなされる。
【００４３】
しかし、紫外線ランプ１５５付近を通過した臭い成分の全てが分解されるわけではなく、紫外線ランプ１５５の下流に設置された吸着脱臭フィルタ１５４ａ、１５４ｂに吸着される。さらに、紫外線ランプ１５５で発生したオゾンは空気と共に下流へ流れて、吸着脱臭フィルタ１５４ａ、１５４ｂに吸着された臭い成分を分解する。
【００４４】
微量のオゾンを含んだ空気は、吸着脱臭フィルタ１５４ａ、１５４ｂを通過した後、脱臭用ファン１５３で加圧されて吹出し口１５２ａ、１５２ａから直接冷蔵室１０２へ吹出され、冷蔵室１０２内の臭い成分や浮遊菌を分解する。
【００４５】
このとき、冷蔵室ファン１３０が運転していることからチャンバー１１２近傍は負圧となっており、脱臭用ファン１５３で加圧された微量のオゾンを含む空気は、送風出口１５１ａに連結された脱臭封路６０を通過してチャンバー１１２に送られ、冷却器１２１、冷蔵室ファン１３０、送風路１４０を経由して冷却室１０２に吹出される。
【００４６】
つまり、冷蔵室ファン１３０と脱臭用ファン１５３が、直列に繋がることで脱臭封路１６０を含む風路が形成され、この風路内の臭い成分や浮遊菌が分解される。
【００４７】
一方、冷蔵室ファン１３０が運転を停止中の脱臭運転の場合、実際の冷蔵庫においてはサーモオフ時や除霜運転中期以降およびドア開放時がこれにあたり、送風路１１０および４０から独立した空間に配置されている脱臭装置１５０においては、カバー１５２の下部近傍に形成された吸込み口５２ｃより冷蔵室１０２内の空気が脱臭装置１５０内に吸込まれる。
【００４８】
この吸込まれた空気に含まれる臭い成分は、紫外線ランプ１５５により生じたオゾンの効果と短波長の紫外線の効果で脱臭および除菌がなされる。しかし、紫外線ランプ１５５付近を通過した臭い成分の全てが脱臭されるわけではなく、紫外線ランプ１５５の下流に設置された吸着脱臭フィルタ１５４ａ、１５４ｂに吸着される。
【００４９】
さらに、紫外線ランプ１５５で発生したオゾンは空気と共に下流へ流れて、吸着脱臭フィルタ１５４ａ、１５４ｂに吸着された臭い成分を分解する。微量のオゾンを含んだ空気は、吸着脱臭フィルタ１５４ａ、１５４ｂを通過した後、脱臭用ファン１５３で加圧されて吹出し口１５２ａ、１５２ａから直接冷蔵室１０２へ吹出され、冷蔵室１０２内の臭い成分や浮遊菌を分解する。
【００５０】
このとき、冷蔵室ファン１３０は停止していることから、脱臭風路１６０から冷却器１２１、冷蔵室ファン１３０、送風路１４０、吹出し口１４１を経由して冷蔵室１０２に繋がる風路に対しては、この風路抵抗に、脱臭装置１５０内の風路抵抗を加えた全風路抵抗を、脱臭用ファン１３０のみで賄わなくてはならず通過風量は略０となる。
【００５１】
脱臭風路１６０から送風路１１０、吸込み口１１を経由して冷蔵室１０２に繋がる風路に対しても同様に通過風量は略０となる。従って、吹出し口１５２ａ、１５２ａから直接冷蔵室１０２へ吹出される風量は、冷蔵室ファン１３０が運転している状態に比べて大きな風量でバランスし、所定の脱臭性能を維持する。
【００５２】
冷蔵室ファン１３０が運転中の脱臭停止の場合、実際の冷蔵庫においては冷却運転時や除霜運転初期がこれにあたり、冷蔵室１０２内の空気は、複数の吸込み口１１１から送風路１１０内を経由して、冷却室１２０の下部のチャンバー１１２で集合する。この集合した空気は、冷却器１２１を通過して際に冷却され、冷蔵室ファン１３０により送風路１４０に送風されて、複数の吹出し口１４１より冷蔵室１０２内に吹出される。
【００５３】
このとき、吹出し口１５２ａ、１５２ａから、脱臭風路１６０を経由して冷蔵室１０２内の空気が送風路１１０に吸込まれる。
【００５４】
以上のように本実施の形態の冷蔵庫は、冷蔵庫本体１の前面に配置され、食品などを貯蔵する冷蔵室１０２と、冷蔵庫１の後方に配置された冷却室１２０に設けられ、冷蔵室１０２を冷却する冷気を生成する冷却器１２１と、冷蔵室１０２への冷気の流路である送風路１４０と、送風路１４０内に設けられ、冷却器１２１により生成された冷気を冷蔵室１０２内に送風するための冷蔵室ファン１３０と、送風路１１０および送風路１４０外に設けられた脱臭装置１５０と、脱臭装置１５０に具備された脱臭用ファン１５３と、脱臭装置１５０の送風出口１５１ａと送風路１１０を連結する脱臭風路１６０とからなり、脱臭装置１５０に冷蔵室１０２に対して脱臭後の空気を直接吹出す吹出し口１５２ａ、１５２ｂを形成したので、冷蔵室ファン３０が運転している状態において、冷却風路１１０，１４０内に脱臭後の空気を送風すると同時に、冷蔵室１０２内にも直接脱臭後の空気を送風することができる。
【００５５】
また、脱臭風路１６０が、吸込み風路である送風路１１０に連結されているので、冷蔵室ファン３０が運転している状態では、冷蔵室ファン３０と脱臭用ファン１５３が直列に配置されていることから、脱臭風路を通過する風量を増加させることができる。
【００５６】
また、脱臭用ファン１５３の送風能力が、冷蔵室ファン３０の送風能力よりも小さいので、冷蔵室ファン３０が停止している状態においては、送風路１１０および送風路１４０を通過する風量を略０にできる。
【００５７】
さらに、冷蔵室ファン３０が運転している状態に比べて、吹出し口５２ａ、５２ｂから冷蔵室１０２に直接吹出す風量を増やすことができる。
【００５８】
また、冷蔵庫１本体の前面に配置され、食品などを貯蔵する冷蔵室１０２と、冷蔵庫１の後方に配置された冷却室１２０に設けられ、冷蔵室１０２を冷却する冷気を生成する冷却器１２１と、冷蔵室１０２への冷気の流路である送風路１１０と、送風路１１０内に設けられ、冷却器２０により生成された冷気を冷蔵室１０２内に送風するための冷蔵室ファン５３と、送風路１１０、４０外に設けられ、冷蔵室１０２に対して脱臭後の空気を直接吹出す吹出口５２ａ，５２ｂを形成し、かつ紫外線ランプ１５５を備えた脱臭装置１５０と、脱臭装置１５０に具備された脱臭用ファン１５３と、脱臭装置１５０の送風出口１５１ａと送風路１１０を連結する脱臭風路１６０とからなり、脱臭風路１６０と送風路１１０の連結部が冷却室１２０の風上に位置するので、紫外線ランプ１５５で生じたオゾンの効果で冷却器を脱臭することができる。
【００５９】
また、紫外線ランプ１５５は、冷蔵庫のドア開放時に点灯するように制御されており、かつ、冷蔵室１０２に露出するカバー１５２は透明性のある材料でできているので、脱臭装置１５０は庫内灯として兼用できる。
【００６０】
また、紫外線ランプ１５５の点灯により生じるオゾンと、短波長の紫外線の効果により、冷蔵室１０２、送風路１１０，１４０および冷却器１２１に存在する浮遊菌や壁面に付着した菌に対する除菌効果が期待できる。
【産業上の利用可能性】
【００６１】
以上のように、本発明にかかる冷蔵庫は、冷却風路内と冷蔵室内に対して同時に脱臭性能を向上させることができ、強制対流式の冷却機器を始めとして冷却貯蔵室を備えた製品全般の脱臭技術として有用である。
【図面の簡単な説明】
【００６２】
【図１】本発明の実施の形態１による冷蔵庫における冷蔵室の正面図
【図２】本発明の実施の形態１による冷蔵庫における冷蔵室の断面図（Ａ−Ａ）
【図３】本発明の実施の形態１による冷蔵庫における冷蔵室の断面図（Ｂ−Ｂ）
【図４】本発明の実施の形態１による脱臭装置の正面図
【図５】本発明の実施の形態１による脱臭装置の側面断面図
【図６】従来の冷蔵庫の側断面図
【図７】従来の冷蔵庫の風路を示す要部正面図
【符号の説明】
【００６３】
１    冷蔵庫本体
１０２    冷蔵室
１１０    送風路
１２０    冷却室
１２１    冷却器
１３０    冷蔵室ファン
１５０    脱臭装置
１５１ａ    脱臭装置の送風出口
１５３    脱臭用ファン
１５２ａ    吹出し口
１５２ｂ    吹出し口
１５５    オゾン発生手段
【図１】
2005201528.tif 000003
【図２】
2005201528.tif 000004
【図３】
2005201528.tif 000005
【図４】
2005201528.tif 000006
【図５】
2005201528.tif 000007
【図６】
2005201528.tif 000008
【図７】
2005201528.tif 000009